(57)【要約】【課題】  類似画像を連続表示する際の改善を図ることを目的とする。【解決手段】  画像を保存する為の記憶装置と、画像を表示する為の表示装置と、記憶装置内に保存された画像を画像単位で順次、表示装置に表示する機能を有する画像処理システムにおいて、画像を表示装置に表示する時間が、表示しようとする画像とそれ以降に表示しようとする複数の画像との類似度に応じて決定される装置を備えることを特徴とする画像処理システム等、を提供する。【選択図】  図１
2006323681.tif 000002
【特許請求の範囲】
【請求項１】
画像を保存する為の記憶装置と、画像を表示する為の表示装置と、記憶装置内に保存された画像を画像単位で順次、表示装置に表示する機能を有する画像処理システムにおいて、
画像を表示装置に表示する時間を表示しようとする画像とそれ以降に表示しようとする複数の画像との類似度に応じて決定する手段を備えることを特徴とする画像処理システム。
【請求項２】
前記類似度は、色、形、複雑さなどの要素から判別され、これら１つまたは複数の組み合わせから類似度を算出される装置を有し、これら１つまたは複数の組み合わせはユーザが決定することを特徴とする請求項１に記載の画像処理システム。
【請求項３】
前記類似度から表示時間を算出する方法として、類似度に複数段階のスレッショルドを設け、それぞれのスレッショルドには、係数を設定しており、類似度がそのスレッショルドを超えた場合、設定されているスレッショルドと、ユーザによって設定される標準表示時間とかけあわせた値が実際の画像が表示される時間となり、そのスレッショルド値および係数はユーザが変更可であることを特徴とする請求項１に記載の画像処理システム。
【請求項４】
画像を表示する画像表示方法において、
画像を表示装置に表示する時間を表示しようとする画像とそれ以降に表示しようとする複数の画像との類似度を判断する工程と、
前記類似度に応じて表示時間を決定する工程とを備えることを特徴とする画像表示方法。
【請求項５】
請求項４に記載の画像表示方法をコンピュータに実行させるためのプログラム。
【請求項６】
請求項５に記載のプログラムを記録したコンピュータ読み取り可能な記録媒体。
【発明の詳細な説明】
【技術分野】
【０００１】
本発明は、画像を保存し、保存された画像を順次表示するスライドショウ機能を有する画像処理システム及び画像表示方法に関する。
【背景技術】
【０００２】
近年、デジタルカメラの技術が発達し、フィルムカメラを追い越すほどの普及を見せている。また、フィルムカメラで撮影した写真などもスキャナーなどで読み込み、写真をデジタル画像データとして扱うことが普及し、急速に広まっている。
【０００３】
デジタル画像データは、パーソナルコンピュータとプリンタを使用して印刷して鑑賞するほか、パーソナルコンピュータや携帯端末などのモニターや液晶などの表示装置で鑑賞する方法が普及して一般的になってきている。それとともに扱うデジタル画像の数も膨大な数になってきている。
【０００４】
多くのデジタル画像を楽しく、効率的に鑑賞する方法として、スライドショウというプログラムが一般に普及を見せている。これは、保存された複数のデジタル画像を一定の規則に基づいて、順次、表示装置に一定時間づつ表示するプログラムである。見る者を飽きさせないために、表示中の画像から次の画像の表示に切り替わる際、独自の効果を持たせ、見る者を飽きさせず、楽しくさせるなどの特徴をもつものもある。
【０００５】
画像一枚あたりの表示時間は、秒単位でコントロールパネルなどから変更することは可能であったが、全体を通して一定とするのが一般的であった。これでは複雑な画像では、十分に鑑賞する時間が持てず、また、単純な画像では十分鑑賞したのに次の画像に切り替わらず飽きてしまうという問題があった。これを回避する方法として、画像一枚ごとにいちいち表示時間を設定するという煩雑な操作が必要であった。これに対し、特許文献１において、表示時間を１画像ごとに設定できるだけでなく、画像1ページに含まれる情報量に応じて、画像情報から表示時間を自動的に演算して決定する発明がある。
【０００６】
【特許文献１】特開平５−３２４２５０号公報
【発明の開示】
【発明が解決しようとする課題】
【０００７】
しかしながら、従来の技術では、複数の画像を順次表示する際に類似度が高い画像が連続した場合でも、それぞれの複雑さが高ければ、各々の表示時間が長くなり、類似度が高い画像が連続しているにもかかわらず、表示時間が長くなると、先ほど見た画像とよく似た画像をじっくり見せられることになり、飽きてしまうという問題があった。
【０００８】
また、よく似た画像でも長い間隔を置いて見せられるとそれぞれの画像の違いを十分に判別できなくなるという問題があった。
【０００９】
そこで、本発明の目的は、類似画像を連続表示する際の改善を図ることにある。
【課題を解決するための手段】
【００１０】
本発明の画像処理システムは、画像を保存する為の記憶装置と、画像を表示する為の表示装置と、記憶装置内に保存された画像を画像単位で順次、表示装置に表示する機能を有する画像処理システムにおいて、画像を表示装置に表示する時間を表示しようとする画像とそれ以降に表示しようとする複数の画像との類似度に応じて決定する手段を備えることを特徴とする。
本発明の画像表示方法は、画像を表示する画像表示方法において、画像を表示装置に表示する時間を表示しようとする画像とそれ以降に表示しようとする複数の画像との類似度を判断する工程と、前記類似度に応じて表示時間を決定する工程とを備えることを特徴とする。
本発明のプログラムは、前記の画像表示方法をコンピュータに実行させることを特徴とする。
本発明のコンピュータ読み取り可能な記録媒体は、前記のプログラムを記録したことを特徴とする。
【発明の効果】
【００１１】
本発明によれば、類似画像を連続表示する際の改善を図ることが可能となる。
【発明を実施するための最良の形態】
【００１２】
以下、本発明を適用した好適な実施形態を、添付図面を参照しながら詳細に説明する。
【００１３】
＜第１の実施形態＞
本発明の第１の実施形態に係る画像処理システムの構成を、図１を参照して説明する。ＣＰＵ１００には、本実施形態による画像処理システムを操作する為の、タッチパネル１０１と液晶ディスプレイ１０２が接続されている。本装置の操作は、液晶パネルに取り付けられたタッチパネル１０１によるが、専用のボタン、リモコンによる操作でも構わない。本実施形態を実施する為のプログラムは、ＲＡＭ／ＲＯＭ１０３に収められているが、その他の場所でもかまわない。
【００１４】
再生表示する画像は、メモリカードアダプタ１０４を介して接続されるメモリカード１０５に格納されるが、ＲＡＭ／ＲＯＭ１０３メモリに収められていても、また、ハードディスクなどの記憶装置を搭載し画像を格納しても構わない。本ブロック図では、液晶ディスプレイ１０２に画像を表示するが、プラズマディスプレイなどで、画像が表示できれば他の表示装置でもよく、また、画像を表示する装置ならば、テレビ出力インタフェースを備え、テレビと接続して表示しても構わない。
【００１５】
本実施形態では、メモリカード１０５に表示すべき画像が納められており、液晶ディスプレイ１０２に取り付けられたタッチパネル１０１の操作によってメモリカードアダプタ１０４を介して接続されたメモリカード１０５に収められた画像が、液晶ディスプレイ１０２に表示される。
【００１６】
ＲＯＭ１０３には、スライドショウプログラムが組み込まれている。これは、前記のように、メモリカード１０５に納められている複数の画像を液晶ディスプレイ１０２に順次表示していくプログラムである。
【００１７】
図２は、本実施形態のフローチャートである。本実施形態のプログラムを図２のフローチャートを用いて説明する。
【００１８】
本実施形態によるスライドショウプログラムが開始されると、まず、ステップＳ２０１で設定されている表示設定時間Ｔ秒を取り出す。Ｔは初期状態で５秒としているが、ユーザによって変更可能である。ステップＳ２０２では、今回表示する画像を取り出す。ステップＳ２０３では、本実施形態では、次回に表示する画像を１つ取り出す。ステップＳ２０４で次回表示する画像が無かった場合、ステップＳ２０８に移り、今回表示する画像をＴ秒表示して、スライドショウプログラムを終了する。
【００１９】
ステップＳ２０４で次回表示する画像があった場合、ステップＳ２０５に移り、今回表示する画像と次回に表示する画像の類似度を算出する。ステップＳ２０６では、類似度が５０％以上の場合、表示時間Ｔ秒を１／２として、実際に表示する時間ｔ秒を算出する。ステップＳ２０７では、今回表示する画像をｔ秒表示し、ステップＳ２０２に戻る。
【００２０】
本実施形態では携帯端末であるが、パーソナルコンピュータ上のプログラムとして動作しても構わない。
【００２１】
＜第２の実施形態＞
次に、本発明の第２の実施形態について説明する。本実施形態では、ブロック図は図１と、フローチャートは図２と同等である。本実施形態では、スライドショウプログラムの開始に先立って、図３のコントロールパネルを用い、設定を行う。
【００２２】
図３のスライドショウ３０１の設定で、標準表示時間３０２の設定を行う。１秒から９９９秒まで設定でき、上下ボタンをタッチパネル上でタップすることにより、設定ができる。
【００２３】
３０３の類似度パラメータで、類似度を算出する際のパラメータを指定することができる。本実施形態では、色、形、複雑さのパラメータを用いて類似度を算出しているが、これら以外のパラメータがあっても良い。本実施形態では、これらのパラメータを使用する場合は、チェックボックスにチェックを入れる。液晶ディスプレイ上に付けられたタッチパネルを用い、チェックボックスをタップするとチェックがつき、もう一度タップするとチェックが外れる。チェックされている項目のパラメータが類似の算出に使用される。
【００２４】
３０７の類似度グラフでは、類似度から秒数を決定する類似度パラメータ設定のスレッショルド値を設定できる。本実施形態では０から１００％の類似度に４つのスレッショルドを設けているが、それ以外の数でも構わない。３０８のスレッショルド設定つまみは、類似度パラメータ３１０のグラフ上をタッチパネルにより０から１００％の間を自由に移動して設定することができる。各つまみ３０８には、分数が表記してあり、そのつまみの位置より類似度が高い場合、そのつまみに表記した分数が、標準表示時間と掛け合わされ、実際に表示される表示時間が決定される。実際に表示される表示時間はユーザにわかりやすいように、つまみの横３０９に表示される。この表示時間は、標準表示時間の変更に応じて変化する。
【００２５】
類似度が、３０８のつまみにより設定したスレッショルドより高い場合、つまみに記した分数を標準表示時間と掛け合わせることにより、実際の表示時間を算出する。
【００２６】
つまみ３０８には、本実施形態では４つあり、それぞれに分数が設定されているが、スレッショルドを表すつまみの数は、４つ以外でも構わない。また、つまみに記した係数は、１／５、１／２、２／３、１／１を使用しているが、１００％に近づくほど小さくなれば、これら以外の値でもよく、また、ユーザが任意に変更できるようにしても良い。
【００２７】
ユーザは設定後、キャンセルボタン３１１を押すと、設定は取り消しになる。ＯＫボタン３１２を押すことにより設定が有効になる。
【００２８】
本実施形態では携帯端末であるが、パーソナルコンピュータ上のプログラムとして動作しても構わない。
【００２９】
以上説明したように、上記実施形態によれば、スライドショウにて複数の画像を順次表示する場合、表示しようとしている画像と次に表示する予定の複数の画像との類似度に応じて、設定されている表示する時間より表示時間を決定することにより、類似度の高い画像が続くときは表示時間を短くするなどによりテンポよく画像が切り替わるスライドショウを提供できるだけでなく、類似度が高いイメージが連続した場合、短時間に次の画像に切り換えることで人間の目はその残像効果により画像を十分に鑑賞でき、それぞれの画像の違いを十分に把握することができるスライドショウを提供できる。
【００３０】
また、ユーザは、色、形、複雑さなどのパラメータを１つまたは複数設定することにより、類似度の設定を変更することができる。
【００３１】
また、類似度と画像が表示される時間との関係、スレッショルドをユーザが自由に設定することが出来、ユーザの好みに合わせた表示時間を設定することができるようになる。
【００３２】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３３】
この場合、記憶媒体から読み出されたプログラムコード自体が前述した実施形態の機能を実現することになり、プログラムコード自体及びそのプログラムコードを記憶した記憶媒体は本発明を構成することになる。
【００３４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３５】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００３６】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００３７】
【図１】本発明の第１の実施形態に係る主な機能を説明するためのブロック図である。
【図２】本発明の第１の実施形態に係る主な処理を説明するためのフローチャートである。
【図３】本発明の第２の実施形態におけるコントロールパネルの構成を示す図である。
【符号の説明】
【００３８】
１００  ＣＰＵ
１０１  タッチパネル
１０２  液晶ディスプレイ
１０３  ＲＡＭ／ＲＯＭ
１０４  メモリカードアダプタ
１０５  メモリカード
３０１  スライドショウの設定コントロールパネル
３０２  標準表示時間設定
３０３  類似度パラメータ設定
３０４  色パラメータチェックボックス
３０５  形パラメータチェックボックス
３０６  複雑さパラメータチェックボックス
３０７  類似度グラフ
３０８  スレッショルド設定つまみ
３０９  実際に表示される秒数
３１０  類似度と秒数の関係を示すグラフ
３１１  キャンセルボタン
３１２  ＯＫボタン
【図１】
2006323681.tif 000003
【図２】
2006323681.tif 000004
【図３】
2006323681.tif 000005